(57)【要約】【課題】雑誌等の情報提供手段は取捨選択を行なってくれたうえで情報を提供してくれる。しかし、必ずしも良い情報を選んでくれるとは限らないし、選択している間に時間的な遅れが生ずることもありえる。【解決手段】インターネットのような環境を利用して、情報の提供者は、とりあえず、サーバ上に情報を提供してしまう。そのあとで、情報の推薦者は閲覧する価値があると考える情報だけを推薦し、情報の閲覧者は自分が信頼を置いている推薦者が推薦する情報だけを選択的に閲覧するようにする。【選択図】図１
2005037983.tif 000002
【特許請求の範囲】
【請求項１】
サーバを利用して情報を提供する方法において、推薦された情報が登録される段階を備えることを特徴とする情報提供方法
【請求項２】
サーバを利用して情報を提供する方法において、推薦者別に情報が提示される段階を備えることを特徴とする情報提供方法
【発明の詳細な説明】
【０００１】
【発明の属する技術分野】
本発明は、コンピュータシステムを利用して、情報をその発信者から受信者に効果的に届けるための方法に関する。
【０００２】
【発明が解決しようとする課題】
通常、情報の発信は信頼性／評判の高い者の特権になっている。信頼性／評判の低い者から発信される情報は取り込む価値のないものであることも多いから、これは驚くにはあたらないことである。
【０００３】
たとえば、小説家志望の無名の人間が自分のホームページをつくって、そこに小説を掲載しても、それを読んでくれる人はほとんどいない。しかし、有名な雑誌に掲載されれば、たくさんの人たちに読んでもらうことができる。有名な雑誌は読む価値がある小説とそうでないものを読者のために選り分ける役割を果たしている。
【０００４】
また、研究者が自分の学説を多くの人に読んでもらおうと思ったら、学会誌に掲載してもらわなくてはならない。ここでは、学会誌が読む価値のありそうな論文とそうでないものを読者のために選り分ける役割を果たしている。
【０００５】
ところが、このような選別の仕組みもいくつかの欠点を持っている。たとえば、雑誌は必ずしも良い小説、良い論文を選んでくれるとは限らない。雑誌の編集者の選別が悪いために良い小説、良い論文が掲載されないこともありえる。
【０００６】
また、時間的な遅れも問題になる可能性がある。たとえば、論文を正式な形にまとめるまでは発表できないということになると、アイデアの段階で他の人の目に触れることはなくなり、科学の進歩が遅くなることもありえるわけである。
【０００７】
【課題を解決するための手段】
以上のような課題を解決するために、本発明においては、インターネットのような環境を利用して、情報の提供者は、とりあえず、サーバ上に情報を提供してしまう。そのあとで、情報の推薦者は閲覧する価値があると考える情報だけを推薦し、情報の閲覧者は自分が信頼を置いている推薦者が推薦する情報だけを選択的に閲覧するようにする。
【０００８】
そうすることにより、情報の評価は激しい競争になる。自分が良いものを見逃して、他人がそれを発見するという可能性があると、その分、推薦者側も一生懸命になるし、競争により良いものを見逃してしまうことも減る。
【０００９】
一方、サーバ上に情報をまず提供してしまえば、それによって先着を証明することができ、アイデアの段階でとりあえず発信することができるようになる。そのような場があれば、その情報を閲覧して影響を受けた人からまた別の情報が発信されるという形で話を早く進めることも可能になる。
【００１０】
【発明の実施の形態】
以下、本発明の実施の形態について説明する。ここでは、提供される情報の種類として「論文」を選び、「論文」の提供者、推薦者、閲覧者が「論文推薦サイト」の会員として「論文推薦サイト」に参加する場合について説明するが、「報道」「文学」「音楽」「美術」等の他ジャンルのものでも同じように取り扱うことができることは説明を要さない。
【００１１】
１：サーバを利用した情報処理方法の構成
まず、図１は本発明の実施形態の構成を示すブロック図である。この図において、符号１１１はサーバであり、論文推薦サイトを運営する企業等に設置され、ネットワーク１１２に接続される。符号１０１、１０２、・・は種々の端末であり、論文推薦サイトの会員の手元にあって、これもネットワーク１１２に接続される。ネットワークとしてはインターネット等が利用できる。
【００１２】
１−１：端末
端末１０１、１０２、・・はサーバ１１１と情報の送受信を行なう。なお、端末１０１、１０２、・・としては、パーソナルコンピュータ以外にも様々な情報処理装置を利用することができるが、以下においては、ＣＲＴやＬＣＤ等の表示部やキーボードやマウス等の入力部を備える通常のパーソナルコンピュータを利用した場合について説明することとする。
【００１３】
１−２：サーバ
次にサーバの詳細構成について説明する。図２はサーバ１１１の構成を示すブロック図である。この図において、符合１２１は制御手段であり、ＣＰＵ等から構成され、各部の制御、データの転送、種々の演算、データの一時的な記憶等を行なう。符合１２２は入力制御手段であり、ネットワーク１１２を介して接続された端末から入力されるデータを制御する。符合１２３は出力制御手段であり、端末に向けて出力されるデータを制御する。
【００１４】
メインプログラム１３０は制御手段１２１において用いられるものである。
【００１５】
会員情報ファイル１３１は「会員番号」「パスワード」「会員名」「推薦論文番号」などのフィールドを持ち、会員ごとにレコードがつくられる（図３）。
【００１６】
論文情報ファイル１３２は「論文番号」「論文名」「執筆者名」「要旨」「内容」などのフィールドを持ち、論文ごとにレコードが作られる（図４）。
【００１７】
２：サーバを利用した情報処理方法の動作説明
次に、動作について説明する。ここで、端末１０１、１０２、・・は、それぞれサーバ１１１と接続されて通信を行なうが、接続される端末がどれでも話は同じなので、便宜上、サーバ１１１には端末１０１が接続されたものとして以下、説明を行なう。サーバ１１１に端末１０１が接続されると、制御手段１２１は入力制御手段１２２を介してこの接続を検知し、メインプログラムにしたがって、端末１０１を制御する。図５はそのメインプログラムの動作を示すフローチャートである。
【００１８】
２−０：トップページ
まず、ステップＳ１００において、制御手段１２１は出力制御手段１２３を介して、端末１０１の表示部に、図６に示すようなトップページを表示させ、端末操作者に対して、「ログイン」「入会手続き」「終了」の中から希望するものを選択するように促す。端末１０１の表示部には（このトップページにおいても、以下のページにおいても）マウスカーソルが表示され、所定の場所をクリックすることにより種々の操作を行なえるようになっている。ここで端末操作者が「ログイン」「入会手続き」のいずれかをマウスでクリックして選択すると、制御手段１２１が入力制御手段１２２を介してこれを検知し、手順をそれぞれステップＳ１２０、ステップＳ１１０に進める。一方、端末操作者が「終了」を選択すると、制御手段１２１がこれを検知し、端末１０１に対する制御を終了する。
【００１９】
２−１：入会手続き
手順がステップＳ１１０に進むと、制御手段１２１は会員情報ファイル１３１を検索し、未使用の会員番号を見つけ、その会員番号を使って端末１０１の表示部に図７に示すような入会手続きページを表示させ、端末操作者に対して、会員名とそれ以降使用することになるパスワードを入力するように促す。端末操作者が会員名とパスワードを入力し、「登録」をマウスでクリックすると、制御手段１２１が入力制御手段１２２を介してこれを検知し、入力された会員名とパスワードを会員情報ファイル１３１に記憶し、手順をステップＳ１００に戻す。
【００２０】
２−２：ログイン
手順がステップＳ１２０に進むと、制御手段１２１は出力制御手段１２３を介して、端末１０１の表示部に図８のようなログインページを表示させ、端末操作者に対して、会員番号とパスワードを入力するように促す。端末操作者が会員番号とパスワードを入力し、「ログイン」をマウスでクリックすると、制御手段１２１が入力制御手段１２２を介してこれを検知し、手順をステップＳ１２１に進める。手順がステップＳ１２１に進むと、制御手段１２１は入力された会員番号とパスワードの組み合わせが正しいかどうかを確認するために会員情報ファイル１３１を検索し、会員番号とパスワードの組み合わせが正しければ手順をステップＳ１３０に進め、正しくなければ「パスワードが不正です」という旨のメッセージを端末１０１の表示部に表示したのち、手順をステップＳ１００に戻す。
【００２１】
２−３：メインメニューページ
手順がステップＳ１３０に進むと、制御手段１２１は出力制御手段１２３を介して、端末１０１の表示部に図９のようなメインメニューページを表示させ、端末操作者に対して、「論文入力ページ」「論文名ページ」「論文推薦者名ページ」「終了」の中から希望するものを選択するように促す。端末操作者が「論文入力ページ」「論文名ページ」「論文推薦者名ページ」のいずれかをマウスでクリックして選択すると、制御手段１２１が入力制御手段１２２を介してこれを検知し、手順をそれぞれステップＳ１５０、ステップＳ２００、ステップＳ３００に進める。一方、端末操作者が「終了」を選択すると、制御手段１２１がこれを検知し、端末１０１に対する制御を終了する。
【００２２】
２−４：論文入力
手順がステップＳ１５０に進むと、制御手段１２１は端末１０１の表示部に図１０に示すような「論文入力ページ」を表示させ、端末操作者に対して、論文名、要旨、内容を入力し、それが終了した時点で「登録する」をクリックするように促す。「登録する」がクリックされると、制御手段１２１がこれを検知し、論文情報ファイル１３２を検索し、未使用の論文番号を見つけ、その論文番号を使って、論文名、要旨、内容を論文情報ファイル１３２に記憶し、手順をステップＳ１３０に戻す。
【００２３】
２−５：論文推薦者を利用しない方法
手順がステップＳ２００に進むと、制御手段１２１は論文情報ファイル１３２から論文情報を読み出し、出力制御手段１２３を介して、端末１０１の表示部に図１１に示すような「論文名ページ」を表示させ、端末操作者に対して、論文の一つまたは「メインメニューに戻る」を選択するように促す。ここで、端末操作者が論文の一つにカーソルを合わせてマウスをクリックすると、制御手段１２１がこれを検知し、手順をステップＳ２２０に進める。一方、端末操作者が「メインメニューに戻る」をクリックすると、制御手段１２１がこれを検知し、手順をステップＳ１３０に戻す。
【００２４】
手順がステップＳ２２０に進むと、制御手段１２１は端末操作者が選択した論文について、論文情報ファイル１３２から論文情報を読み出し、出力制御手段１２３を介して、端末１０１の表示部に図１２に示すような「論文ページ」を表示させ、端末操作者に対して、「論文名ページに戻る」または「この論文を推薦する」を選択するように促す。ここで、端末操作者が「論文名ページに戻る」にカーソルを合わせてマウスをクリックすると、制御手段１２１がこれを検知し、手順をステップＳ２００に戻す。一方、端末操作者が「この論文を推薦する」をクリックすると、制御手段１２１がこれを検知し、手順をステップＳ２３０に進める。
【００２５】
手順がステップＳ２３０に進むと、制御手段１２１は端末操作者の会員番号、選択されている論文の論文番号を会員情報ファイル１３１に記憶する。すなわち、端末操作者の会員番号に対応するレコードの推薦論文のフィールドに、選択されている論文の論文番号を追加する。そのうえで、制御手段１２１は手順をステップＳ２００に戻す。
【００２６】
２−６：論文推薦者を利用する方法
手順がステップＳ３００に進むと、制御手段１２１は会員情報ファイル１３１から推薦論文番号を持つ会員名を読み出し、出力制御手段１２３を介して、端末１０１の表示部に図１３に示すような「論文推薦者名ページ」を表示させ、端末操作者に対して、論文推薦者名の一つまたは「メインメニューに戻る」を選択するように促す。ここで、端末操作者が論文推薦者名の一つにカーソルを合わせてマウスをクリックすると、制御手段１２１がこれを検知し、手順をステップＳ３１０に進める。一方、端末操作者が「メインメニューに戻る」をクリックすると、制御手段１２１がこれを検知し、手順をステップＳ１３０に戻す。
【００２７】
手順がステップＳ３１０に進むと、制御手段１２１は端末操作者がステップＳ３００において選択した論文推薦者について会員情報ファイル１３１を参照し、その論文推薦者が推薦している論文番号について論文情報ファイル１３２から論文情報を読み出し、出力制御手段１２３を介して、端末１０１の表示部に図１４に示すような「論文推薦者別論文名ページ」を表示させ、端末操作者に対して、論文の一つまたは「論文推薦者名ページに戻る」を選択するように促す。ここで、端末操作者が論文の一つにカーソルを合わせてマウスをクリックすると、制御手段１２１がこれを検知し、手順をステップＳ３２０に進める。一方、端末操作者が「論文推薦者名ページに戻る」をクリックすると、制御手段１２１がこれを検知し、手順をステップＳ３００に戻す。
【００２８】
手順がステップＳ３２０に進むと、制御手段１２１は端末操作者が選択した論文について、論文情報ファイル１３２から論文情報を読み出し、出力制御手段１２３を介して、端末１０１の表示部に図１５に示すような「論文ページ」を表示させ、端末操作者に対して、「論文推薦者別論文名ページに戻る」または「この論文を推薦する」を選択するように促す。ここで、端末操作者が「論文推薦者別論文名ページに戻る」にカーソルを合わせてマウスをクリックすると、制御手段１２１がこれを検知し、手順をステップＳ３１０に戻す。一方、端末操作者が「この論文を推薦する」をクリックすると、制御手段１２１がこれを検知し、手順をステップＳ３３０に進める。
【００２９】
手順がステップＳ３３０に進むと、制御手段１２１は端末操作者の会員番号、選択されている論文の論文番号を会員情報ファイル１３１に記憶する。すなわち、端末操作者の会員番号に対応するレコードの推薦論文のフィールドに、選択されている論文の論文番号を追加する。そのうえで、制御手段１２１は手順をステップＳ３１０に戻す。
【００３０】
【発明の効果】
本発明の効果は、良い情報／作品をできる限り確実に、できるかぎり早期に世に送り出すことにある。
【図面の簡単な説明】
【図１】実施形態の構成図である。
【図２】実施形態におけるサーバの機能構成を示すブロック図である。
【図３】会員情報ファイルを示す図である。
【図４】論文情報ファイルを示す図である。
【図５】実施形態のフローチャート全体を示す図である。
【図６】トップページを示す図である。
【図７】入会手続きページを示す図である。
【図８】ログインページを示す図である。
【図９】メインメニューページを示す図である。
【図１０】論文入力ページを示す図である。
【図１１】論文名ページを示す図である。
【図１２】論文推薦者を利用しない方法における論文ページを示す図である。
【図１３】論文推薦者名ページを示す図である。
【図１４】論文推薦者別論文名ページを示す図である。
【図１５】論文推薦者を利用する方法における論文ページを示す図である。
【符号の説明】
１０１、１０２、１０３、・・・端末
１１１・・・サーバ
１１２・・・ネットワーク
１２１・・・制御手段
１２２・・・入力制御手段
１２３・・・出力制御手段
１３０・・・メインプログラム
１３１・・・会員情報ファイル
１３２・・・論文情報ファイル
【図１】
2005037983.tif 000003
【図２】
2005037983.tif 000004
【図３】
2005037983.tif 000005
【図４】
2005037983.tif 000006
【図５】
2005037983.tif 000007
【図６】
2005037983.tif 000008
【図７】
2005037983.tif 000009
【図８】
2005037983.tif 000010
【図９】
2005037983.tif 000011
【図１０】
2005037983.tif 000012
【図１１】
2005037983.tif 000013
【図１２】
2005037983.tif 000014
【図１３】
2005037983.tif 000015
【図１４】
2005037983.tif 000016
【図１５】
2005037983.tif 000017